(57)【要約】      （修正有）【課題】無線端末のスリープ状態に合せて無線基地局をスリープ状態にして、省電力モードを実現する。【解決手段】無線基地局は、ビーコン信号の送信後に、基地局スリープ期間の情報を付加した制御信号を送信し、基地局スリープ期間にスリープ状態に移行し、基地局スリープ期間の経過後にアウェイク状態に移行する。また、基地局スリープ期間に無線端末の送信を禁止する送信禁止期間の情報を付加した制御信号を送信し、無線端末は、制御情報を受信したときに、制御信号に付加された送信禁止期間は送信信号が発生しても送信せずに待機する。【選択図】図７
2010193290.tif 000002
【特許請求の範囲】
【請求項１】
一定周期でビーコン信号を送信する無線基地局と、前記ビーコン信号を受信するタイミングでアウェイク状態となり、前記ビーコン信号の受信後に送受信する信号がない場合にスリープ状態となる無線端末から構成される無線通信システムの省電力通信制御方法において、
前記無線基地局は、
前記ビーコン信号の送信後に、基地局スリープ期間の情報を付加した制御信号を送信し、
前記基地局スリープ期間にスリープ状態に移行し、前記基地局スリープ期間の経過後にアウェイク状態に移行する
ことを特徴とする省電力通信制御方法。
【請求項２】
請求項１に記載の省電力通信制御方法において、
前記無線基地局は、前記無線基地局に送信信号が蓄積されていない場合、または前記無線基地局に帰属する無線端末がない場合に前記制御信号を送信する
ことを特徴とする省電力通信制御方法。
【請求項３】
請求項１に記載の省電力通信制御方法において、
前記無線基地局は、前記基地局スリープ期間に前記無線端末の送信を禁止する送信禁止期間の情報を付加した制御信号を送信し、
前記無線端末は、前記制御情報を受信したときに、前記制御信号に付加された前記送信禁止期間は送信信号が発生しても送信せずに待機する
ことを特徴とする省電力通信制御方法。
【請求項４】
請求項３に記載の省電力通信制御方法において、
前記無線基地局は、前記基地局スリープ期間が前記送信禁止期間の上限より長いときに、前記送信禁止期間の上限の範囲で前記基地局スリープ期間を分割し、分割した基地局スリープ期間ごとに前記制御信号を送信する
ことを特徴とする省電力通信制御方法。
【請求項５】
一定周期でビーコン信号を送信する無線基地局と、前記ビーコン信号を受信するタイミングでアウェイク状態となり、前記ビーコン信号の受信後に送受信する信号がない場合にスリープ状態となる無線端末とを備えた無線通信システムにおいて、
前記無線基地局は、
前記ビーコン信号の送信後に、基地局スリープ期間の情報を付加した制御信号を送信する制御信号送信手段と、
前記基地局スリープ期間にスリープ状態に移行し、前記基地局スリープ期間の経過後にアウェイク状態に移行する省電力制御手段と
を備えたことを特徴とする無線通信システム。
【請求項６】
請求項５に記載の無線通信システムにおいて、
前記無線基地局の制御信号送信手段は、前記無線基地局に送信信号が蓄積されていない場合、または前記無線基地局に帰属する無線端末がない場合に前記制御信号を送信する
ことを特徴とする無線通信システム。
【請求項７】
請求項５に記載の無線通信システムにおいて、
前記無線基地局の制御信号送信手段は、前記基地局スリープ期間に前記無線端末の送信を禁止する送信禁止期間の情報を付加した制御信号を送信する構成であり、
前記無線端末は、前記制御情報を受信したときに、前記制御信号に付加された前記送信禁止期間は送信信号が発生しても送信せずに待機する送信制御手段を備えた
ことを特徴とする無線通信システム。
【請求項８】
請求項７に記載の無線通信システムにおいて、
前記無線基地局の制御信号送信手段は、前記基地局スリープ期間が前記送信禁止期間の上限より長いときに、前記送信禁止期間の上限の範囲で前記基地局スリープ期間を分割し、分割した基地局スリープ期間ごとに前記制御信号を送信する構成である
ことを特徴とする無線通信システム。
【請求項９】
一定周期でビーコン信号を送信する無線基地局と、前記ビーコン信号を受信するタイミングでアウェイク状態となり、前記ビーコン信号の受信後に送受信する信号がない場合にスリープ状態となる無線端末とを備えた無線通信システムの無線基地局において、
前記ビーコン信号の送信後に、基地局スリープ期間の情報を付加した制御信号を送信する制御信号送信手段と、
前記基地局スリープ期間にスリープ状態に移行し、前記基地局スリープ期間の経過後にアウェイク状態に移行する省電力制御手段と
を備えたことを特徴とする無線基地局。
【請求項１０】
請求項９に記載の無線基地局において、
前記制御信号送信手段は、前記無線基地局に送信信号が蓄積されていない場合、または前記無線基地局に帰属する無線端末がない場合に前記制御信号を送信する構成である
ことを特徴とする無線基地局。
【請求項１１】
請求項９に記載の無線基地局において、
前記制御信号送信手段は、前記基地局スリープ期間に前記無線端末の送信を禁止する送信禁止期間の情報を付加した制御信号を送信する構成である
ことを特徴とする無線基地局。
【請求項１２】
請求項１１に記載の無線基地局において、
前記制御信号送信手段は、前記基地局スリープ期間が前記送信禁止期間の上限より長いときに、前記送信禁止期間の上限の範囲で前記基地局スリープ期間を分割し、分割した基地局スリープ期間ごとに前記制御信号を送信する構成である
ことを特徴とする無線基地局。
【発明の詳細な説明】
【技術分野】
【０００１】
本発明は、無線基地局ＡＰと少なくとも１つの無線端末ＳＴＡとの間で無線パケットを送受信する無線通信システムにおいて、無線端末ＳＴＡだけでなく無線基地局ＡＰでも省電力通信制御を行う省電力通信制御方法、無線通信システムおよび無線基地局に関する。
また、無線基地局ＡＰがスリープ状態のときに無線端末ＳＴＡの送信を禁止する制御を行う省電力通信制御方法、無線通信システムおよび無線基地局に関する。
【背景技術】
【０００２】
ＩＥＥＥ802.11標準規格（非特許文献１）に準拠する無線ＬＡＮシステムでは、無線端末ＳＴＡにおける省電力モードが規定されている。
【０００３】
無線基地局ＡＰが一定周期で送信するビーコン信号には、ＴＩＭ（Traffic Indication Map) ビーコンと、ＤＴＩＭ（Delivery Traffic Indication Message)ビーコンがあり、ＤＴＩＭビーコンはＤＴＩＭ間隔で送信される。ＴＩＭビーコンおよびＤＴＩＭビーコンには、サポートする伝送レートやサービスセット種別（ＳＳＩＤ）、ビーコンの周期情報、ＴＩＭ情報要素などの無線ネットワーク情報が含まれる。ＴＩＭ情報要素は、ＡＰの送信バッファにおけるマルチキャスト／ブロードキャストフレームの有無の情報、およびＤＴＩＭビーコンの送信間隔であるＤＴＩＭ間隔、次のＤＴＩＭビーコンを送信するまでの送信ビーコン数であるＤＴＩＭカウントなどである。
【０００４】
ＡＰは、ネットワーク内に省電力モードで動作中のＳＴＡがいる場合に、当該ＳＴＡ宛ての送信データがあってもすぐに送信せず、ＤＴＩＭビーコンのＴＩＭ情報要素で送信データ蓄積中であることを通知する。省電力モードで動作中のＳＴＡはＤＴＩＭ間隔でアウェイク状態となり、受信したＤＴＩＭビーコンのＴＩＭ情報要素を解析して自身宛てデータの蓄積の有無を判断する。そして、自身宛てデータがＡＰに蓄積されていれば、制御フレームをＡＰに送信してＡＰから蓄積している自身宛てデータを転送してもらう。
【０００５】
このように、ＡＰはＤＴＩＭ間隔でＤＴＩＭビーコンを送信し、省電力モードで動作中のＳＴＡはＤＴＩＭビーコンを受信するためにＤＴＩＭ間隔でアウェイク状態となり、そのときに送受信するパケットがなければスリープ状態に移行して消費電力を抑えている。
【発明の概要】
【発明が解決しようとする課題】
【０００６】
ところで、ＡＰは省電力モードがない。一方、省電力モードのＳＴＡは、図８に示すようにスリープ状態とアウェイク状態を繰り返し、アウェイク状態でＡＰへデータ送信を行う。そのため、ＡＰはＳＴＡがスリープ状態とアウェイク状態を繰り返しているときでも、常にアウェイク状態を継続する必要があった。しかし、ＳＴＡがスリープ状態にあるときは、ＡＰが無駄に電力を消費していることになり、その無駄な電力消費によってポータブルＡＰのようにバッテリー駆動のＡＰでは駆動時間が短くなっていた。
【０００７】
本発明は、無線端末のスリープ状態に合せて無線基地局をスリープ状態にする省電力モードを実現し、また無線基地局がスリープ状態のときに無線端末の送信を禁止することができる省電力通信制御方法、無線通信システムおよび無線基地局を提供することを目的とする。
【課題を解決するための手段】
【０００８】
第１の発明は、一定周期でビーコン信号を送信する無線基地局と、ビーコン信号を受信するタイミングでアウェイク状態となり、ビーコン信号の受信後に送受信する信号がない場合にスリープ状態となる無線端末から構成される無線通信システムの省電力通信制御方法において、無線基地局は、ビーコン信号の送信後に、基地局スリープ期間の情報を付加した制御信号を送信し、基地局スリープ期間にスリープ状態に移行し、基地局スリープ期間の経過後にアウェイク状態に移行する。
【０００９】
第１の発明における無線基地局は、無線基地局に送信信号が蓄積されていない場合、または無線基地局に帰属する無線端末がない場合に制御信号を送信する。
【００１０】
第１の発明における無線基地局は、基地局スリープ期間に無線端末の送信を禁止する送信禁止期間の情報を付加した制御信号を送信し、無線端末は、制御情報を受信したときに、制御信号に付加された送信禁止期間は送信信号が発生しても送信せずに待機する。
また、無線基地局は、基地局スリープ期間が送信禁止期間の上限より長いときに、送信禁止期間の上限の範囲で基地局スリープ期間を分割し、分割した基地局スリープ期間ごとに制御信号を送信してもよい。
【００１１】
第２の発明は、一定周期でビーコン信号を送信する無線基地局と、ビーコン信号を受信するタイミングでアウェイク状態となり、ビーコン信号の受信後に送受信する信号がない場合にスリープ状態となる無線端末とを備えた無線通信システムにおいて、無線基地局は、ビーコン信号の送信後に、基地局スリープ期間の情報を付加した制御信号を送信する制御信号送信手段と、基地局スリープ期間にスリープ状態に移行し、基地局スリープ期間の経過後にアウェイク状態に移行する省電力制御手段とを備える。
【００１２】
第２の発明における無線基地局の制御信号送信手段は、無線基地局に送信信号が蓄積されていない場合、または無線基地局に帰属する無線端末がない場合に制御信号を送信する構成である。
【００１３】
第２の発明における無線基地局の制御信号送信手段は、基地局スリープ期間に無線端末の送信を禁止する送信禁止期間の情報を付加した制御信号を送信する構成であり、無線端末は、制御情報を受信したときに、制御信号に付加された送信禁止期間は送信信号が発生しても送信せずに待機する送信制御手段を備える。
また、制御信号送信手段は、基地局スリープ期間が送信禁止期間の上限より長いときに、送信禁止期間の上限の範囲で基地局スリープ期間を分割し、分割した基地局スリープ期間ごとに制御信号を送信する構成としてもよい。
【００１４】
第３の発明は、一定周期でビーコン信号を送信する無線基地局と、ビーコン信号を受信するタイミングでアウェイク状態となり、ビーコン信号の受信後に送受信する信号がない場合にスリープ状態となる無線端末とを備えた無線通信システムの無線基地局において、ビーコン信号の送信後に、基地局スリープ期間の情報を付加した制御信号を送信する制御信号送信手段と、基地局スリープ期間にスリープ状態に移行し、基地局スリープ期間の経過後にアウェイク状態に移行する省電力制御手段とを備える。
【００１５】
第３の発明における無線基地局の制御信号送信手段は、無線基地局に送信信号が蓄積されていない場合、または無線基地局に帰属する無線端末がない場合に制御信号を送信する構成である。
【００１６】
第３の発明における無線基地局の制御信号送信手段は、基地局スリープ期間に無線端末の送信を禁止する送信禁止期間の情報を付加した制御信号を送信する構成である。
また、制御信号送信手段は、基地局スリープ期間が送信禁止期間の上限より長いときに、送信禁止期間の上限の範囲で基地局スリープ期間を分割し、分割した基地局スリープ期間ごとに制御信号を送信する構成としてもよい。
【発明の効果】
【００１７】
本発明は、無線基地局がビーコン信号の送信後に、基地局スリープ期間の情報を付加した制御信号を送信し、基地局スリープ期間だけスリープ状態に移行することができる。この制御信号を送信する条件として、例えば無線基地局に送信信号が蓄積されていない場合は無線端末がスリープ状態に入ることを想定でき、また無線基地局に帰属する無線端末がない場合は無線端末からの送信がないことを想定できるので、その間に無線基地局が基地局スリープ期間だけスリープ状態に移行する。これにより、無線基地局の省電力化を実現することができる。
【００１８】
また、無線基地局は、基地局スリープ期間を無線端末の送信禁止期間として無線端末に通知することにより、無線端末は基地局スリープ期間中に送信信号が発生しても待機することができる。これにより、無線端末が基地局スリープ期間中に無駄に信号を送信することなく、無線端末のさらなる省電力化も実現することができる。
【図面の簡単な説明】
【００１９】
【図１】本発明の無線通信システムの全体構成を示す図である。
【図２】本発明の無線基地局ＡＰの構成例を示す図である。
【図３】ビーコンのフレーム構成を示す図である。
【図４】スリープ制御パケットのフレーム構成を示す図である。
【図５】本発明の無線基地局ＡＰの省電力制御手順例１を示すフローチャートである。
【図６】本発明の無線基地局ＡＰの省電力制御手順例２を示すフローチャートである。
【図７】本発明の無線通信システムの動作例を示すタイミングチャートである。
【図８】従来の無線通信システムの動作例を示すタイミングチャートである。
【発明を実施するための形態】
【００２０】
図１は、本発明の無線通信システムの全体構成を示す。
図において、無線基地局ＡＰと、その通信エリア内にある無線端末ＳＴＡとの間で無線パケットの送受信が行われる。また、無線基地局ＡＰは、配下の無線端末ＳＴＡと接続するためのＬＡＮインタフェースの他にＷＡＮインタフェースをもち、無線端末ＳＴＡとＷＡＮ側の無線装置との間の通信を中継する機能があってもよい。
【００２１】
図２は、本発明の無線基地局ＡＰの構成例を示す。
図において、無線基地局ＡＰは、無線パケットの送受信を行う送受信部１０と、無線パケットの送受信制御および無線基地局ＡＰの省電力通信制御を行う制御部２０とを備える。制御部２０は、送信データを蓄積し、蓄積した送信データを送受信部１０に出力する送信バッファ２２、送信バッファ２２の送信データの有無を監視するバッファ監視部２３、送信データの有無情報を含むビーコンを生成し、生成したビーコンを送受信部１０に出力するビーコン生成部２４、ビーコンの生成および送受信制御部２１を介して送信タイミング制御を行うビーコン送信制御部２５、無線基地局ＡＰのスリープ期間を無線端末ＳＴＡに通知するためのスリープ制御パケットを生成し、生成したスリープ制御パケットを送受信部１０に出力するスリープ制御パケット生成部２６、無線基地局ＡＰのスリープ期間ＳＬおよびスリープ制御パケットに設定するＮＡＶを管理するスリープ期間管理部２７、ビーコン送信制御部２５からビーコン生成通知を受けてスリープ制御パケットの生成および送受信制御部２１を介して送信タイミング制御を行うスリープ制御パケット送信制御部２８により構成される。なお、図２中の実線矢印は送信データ、ビーコン、スリープ制御パケットの流れを示し、破線矢印は制御信号の流れを示す。
【００２２】
図３は、ビーコンのフレーム構成を示す。
図において、ビーコンフレームは、ＭＡＣヘッダと、フレームボディのＴＩＭと、ＦＣＳとを有する。ＴＩＭのBitmap Controlには、ビーコンフレームに続いてスリープ制御パケットを送信するか否かを示す情報が設定される。ビーコンフレームの受信タイミングに合せてアウェイク状態になった無線端末ＳＴＡは、スリープ制御パケットの送信無しのビーコンフレームを受信すればスリープ状態に移行するが、スリープ制御パケットの送信有りの場合はスリープ制御パケットを受信するまでアウェイク状態を継続する。なお、これは、無線基地局ＡＰがＴＩＭのBitmap Controlを用いて無線端末ＳＴＡへの送信データの有無を通知し、送信データ有りであれば、無線端末ＳＴＡが無線基地局ＡＰから送信データを転送してもらう処理と同じシーケンスである。
【００２３】
図４は、スリープ制御パケットのフレーム構成を示す。ここでは、スリープ制御パケットとしてブロードキャスト／マルチキャストまたはＣＴＳ(Clear to Send) を利用する例を示す。
図４(1) はブロードキャスト／マルチキャストのフレーム構成を示す。ブロードキャスト／マルチキャストのフレーム構成は、ＭＡＣヘッダとＦＣＳからなり、フレームボディがない（Nullデータ）。ＭＡＣヘッダのフレーム制御のMore Data には、後続するブロードキャスト／マルチキャストの有無を示す情報が設定される。省電力モードの無線端末ＳＴＡは、More Data が「無」になっているブロードキャスト／マルチキャストを受信した後にスリープ状態に移行する。ＭＡＣヘッダのデュレーション／ＩＤにはＮＡＶ値が設定される。アドレス１はブロードキャスト／マルチキャストアドレス、アドレス２，３はＡＰのアドレス（ＢＳＳＩＤ）が設定される。
【００２４】
図４(2) はＣＴＳのフレーム構成を示す。ＣＴＳのフレーム構成は、ＭＡＣヘッダとＦＣＳからなる。ＭＡＣヘッダのデュレーション／ＩＤは、ブロードキャスト／マルチキャストのフレーム構成と同様であり、ＮＡＶ値が設定される。アドレスは、ＡＰのアドレス（ＢＳＳＩＤ）が設定される。なお、後続のスリープ制御パケットがない場合はＣＴＳを送信しないので、ＮＡＶを通知するためにはブロードキャスト／マルチキャストが用いられる。
【００２５】
図５および図６は、本発明の無線基地局ＡＰの省電力制御手順１，２を示す。図７は、本発明の無線通信システムの動作例を示す。以下、図２〜図７を参照して無線基地局ＡＰの省電力制御について説明する。
【００２６】
無線基地局ＡＰのビーコン送信制御部２５は、ＤＴＩＭビーコンの送信前にバッファ監視部２３を介して送信バッファ２２が空であるか否かを調べる（Ｓ１）。送信バッファ２２に送信データが蓄積されていれば（Ｓ１：No）、ＴＩＭに送信データ有りを示す情報を載せたＤＴＩＭビーコンを送信し、従来通りのアウェイク状態を継続する（Ｓ２）。このＤＴＩＭビーコンを受信した無線端末ＳＴＡは、従来と同様に制御フレームをＡＰに送信してＡＰから自身宛てデータを転送してもらう。
【００２７】
一方、送信バッファ２２が空であれば（Ｓ１：Yes ）、スリープ制御パケット（ブロードキャスト／マルチキャスト、ＣＴＳ）の送信を示す情報を設定したＤＴＩＭビーコンを送信する（Ｓ３）。パケット送信制御部２８は、ビーコン送信制御部２５からビーコン生成通知を受けると、スリープ制御パケット生成部２６に対してスリープ制御パケット生成を指示し、スリープ制御パケット生成部２６はスリープ期間管理部２７からスリープ制御パケットに設定するＮＡＶとして、無線基地局ＡＰのスリープ期間ＳＬを取得する（Ｓ４）。このスリープ期間ＳＬは、無線基地局ＡＰで予め決められた値とするか、ＤＴＩＭビーコン送信前のアウェイク期間におけるチャネル利用時間に応じた値、例えばチャネル利用時間が長ければ短めの値としてもよい。
【００２８】
一方、スリープ制御パケットに設定するＮＡＶは、無線端末ＳＴＡの送信を禁止する期間であり、所定の上限値ＮＡＶmax がある。ここで、スリープ期間ＳＬとＮＡＶmax とを比較し（Ｓ５）、ＳＬ＞ＮＡＶmax であれば、スリープ制御パケット生成部２６はスリープ制御パケットにＮＡＶ(1) としてＮＡＶmax またはＮＡＶmax 以下の値を設定し、残りのスリープ期間を設定するために次のスリープ制御パケットの送信を示す情報を設定したスリープ制御パケット(1) を生成して送信する（Ｓ６）。無線基地局ＡＰは、スリープ期間ＳＬ(1) （＝ＮＡＶ(1) −α）だけスリープ状態に移行する（Ｓ７）。なお、αは、無線端末ＳＴＡがＮＡＶ(1) によって送信を禁止している間に、無線基地局ＡＰが次のスリープ制御パケット(2) を送信するためのマージンである。スリープ制御パケット(1) を受信した無線端末ＳＴＡは、次のスリープ制御パケットを受信するまでアウェイク状態を継続するとともに、無線基地局ＡＰのスリープ期間ＳＬ(1) に対応してＮＡＶ(1) （＝ＳＬ(1) ＋α）を設定する。
【００２９】
スリープ制御パケット(1) を送信したスリープ制御パケット生成部２６は、残っているスリープ期間ＳＬとして（ＳＬ＝ＳＬ−ＳＬ(1) ）を算出し（Ｓ８）、ステップＳ５に戻る。ここで、ＳＬ＞ＮＡＶmax であれば同様の処理を繰り返す。ＳＬ≦ＮＡＶmax であれば（Ｓ５：No）、スリープ制御パケット生成部２６はスリープ制御パケットにＮＡＶ(2) としてＳＬを設定し、次のスリープ制御パケットの送信がないことを示す情報を設定したスリープ制御パケット(2) を生成して送信する（Ｓ９）。このスリープ制御パケット(2) にはブロードキャスト／マルチキャストが用いられる。無線基地局ＡＰは、スリープ期間ＳＬ(2) （＝ＮＡＶ(2) ）だけスリープ状態になり（Ｓ10）、その後はアウェイク状態に移行する。スリープ制御パケット(2) を受信した無線端末ＳＴＡは、スリープ状態に移行するとともに、無線基地局ＡＰのスリープ期間ＳＬ(2) に対応してＮＡＶ(2) （＝ＳＬ(2) ）を設定する。
【００３０】
以上の制御により、無線基地局ＡＰがスリープ状態になって電力消費を抑制することができる。さらに、無線端末ＳＴＡがアウェイク状態でもスリープ状態でも、無線基地局ＡＰのスリープ状態に対応してＮＡＶが設定され、無線端末ＳＴＡからの送信が禁止される。したがって、無線基地局ＡＰのスリープ状態のときに、無線端末ＳＴＡが送信してパケットロスになる事態を回避することができ、結果として無線端末ＳＴＡの無駄な電力消費を抑制することができる。
【００３１】
なお、図５のステップＳ１の送信バッファ２２が空きであるか否かの判断は、図６に示すステップＳ１′のように、無線基地局ＡＰに帰属する無線端末ＳＴＡがゼロであるか否かの判断に置き換えてもよい。すなわち、無線基地局ＡＰに帰属する無線端末ＳＴＡがゼロの場合には、図５のステップＳ３以降と同様に、無線基地局ＡＰをスリープ状態にする制御を行うようにしてもよい。
【００３２】
また、無線基地局ＡＰがスリープ制御に入る契機は、図５のステップＳ１の送信バッファ２２が空きがあるとき、あるいは図６のステップＳ１′の無線基地局ＡＰに帰属する無線端末ＳＴＡがゼロであるときに限定されない。無線基地局ＡＰは、何らかの状況に応じて無線基地局ＡＰと無線端末ＳＴＡとの間で送受信する信号がないことがわかれば、ビーコン信号に続いてスリープ制御パケットを送信し、そこに設定される基地局スリープ期間にスリープ状態に移行してもよい。一方、スリープ制御パケットを受信した無線端末ＳＴＡは無線基地局ＡＰがスリープ状態になることを検出できるので、対応する処理、例えば無線端末ＳＴＡに送信信号が発生しても送信を待機する等の処理を行うことができる。
【産業上の利用可能性】
【００３３】
本発明は、無線端末ＳＴＡのスリープ状態に合せて無線基地局ＡＰをスリープ状態にする省電力モードが可能になるので、ポータブルＡＰのようにバッテリー駆動のＡＰにおいて消費電力を低減して駆動時間を長くすることができる。
【符号の説明】
【００３４】
ＡＰ  無線基地局
ＳＴＡ  無線端末
１０  送受信部
２０  制御部
２１  送受信制御部
２２  送信バッファ
２３  バッファ監視部
２４  ビーコン生成部
２５  ビーコン送信制御部
２６  スリープ制御パケット生成部
２７  スリープ期間管理部
２８  スリープ制御パケット送信制御部
【先行技術文献】
【非特許文献】
【００３５】
【非特許文献１】IEEE802.11,"Wireless LAN Medium Access Control(MAC) and Physical(PHY) Layer Specifications", 11.2.1.1 STA Power Management modes, June 2007
【図１】
2010193290.tif 000003
【図２】
2010193290.tif 000004
【図３】
2010193290.tif 000005
【図４】
2010193290.tif 000006
【図５】
2010193290.tif 000007
【図６】
2010193290.tif 000008
【図７】
2010193290.tif 000009
【図８】
2010193290.tif 000010